(57)【特許請求の範囲】
【請求項１】
ポリウレタン弾性織布から成る複数のゴアの端縁同士を縫着することにより非着用時の基準サイズが５４ｃｍ〜６０ｃｍとなる帽子本体を構成し、前記ゴアのうち帽子のひさし部の両端より後側に位置する後部ゴアと前部ゴアとは別体に構成されたポリウレタン弾性織布から成るスエットバンドとの結合により着用時の最大伸びが６．３５ｃｍ以下となるように構成し、さらに前記ゴアのうちひさし部分に相当する前部ゴアには芯材を裏張りすることにより剛直に構成され、前記スエットバンドは、前記帽子本体の下端内周面の全長にわたってその下側縁を縫着することにより取り付けられ、前記ゴアの端縁を挟むようにマルチステッチラインが配されており、前記スエットバンドの上側縁は、前記帽子本体の後部ゴアのマルチステッチラインの部位に縫着されることを特徴とするフリーサイズ帽子。
【発明の詳細な説明】
【０００１】
【産業上の利用分野】
この発明は、基準サイズ（例えば６０ｃｍ）から所定範囲内（例えば６．３５ｃｍ）の広いサイズ範囲で着用可能であり、しかも良好な着用感を得ることができるフリーサイズ帽子に関する。
【０００２】
【従来の技術】
フリーサイズ帽子は、普通の帽子のように数種類のサイズに分けて製造販売する必要がないため、生産ライン・設備の簡素化、作業時間の短縮及び労働力の節約、スペースの節約、流通の効率化を図ることができ、これらがあいまって販売価格の大幅低減を実現することができる。従来フリーサイズ帽子としては米国特許第４，６６２，００７号又は米国特許第５，１１９，５１４号等に開示されたものが公知である。これらの米国特許にかかるフリーサイズ帽子ではひさしの部位から後側の部位における帽子本体のゴア（ｇｏｒｅ）を伸縮性のある織物にて構成している点が共通している。そして、米国特許第４，６６２，００７号のフリーサイズ帽子では帽子本体の下縁部にはひさしより後側の部位で横編構成の編物より成るイヤーフラップが形成されている。常態ではイヤーフラップは帽子本体の下縁上方に折り返して位置される。冬季等には折返帯をずり下げることによりイヤーフラップは着用者の耳を覆い、その保温を図ることができる。また、イヤーフラップを帽子本体の内側に折り返すように使用することにより、スエットバンド（汗取り帯）としての機能を持たせることは可能である。
【０００３】
一方、米国特許第５，１１９，５１４号のフリーサイズ帽子では、ひさしより一体に延びる比較的剛直なつば状のイヤーシールドを備え、かつ帽子本体の後部に切欠部を設け、この切欠部の対向した縁の片側に長さが約６．３５ｃｍ程度の嵌合バンド又はベルクロファスナを設け、サイズの調節を可能としている。即ち、嵌合バンドの場合はその片側の雄バンドは一定間隔をおいた突起を有し、他方側の雌バンドは同一の一定間隔をおいた嵌合孔を有し、雄バンドの突起を雌バンドの適当な嵌合孔に嵌合せしめることによって、帽子のサイズを着用者の頭に適宜調節することができるようにしている。
【０００４】
【発明が解決しようとする課題】
米国特許第４，６６２，００７号では、ひさしより後側の部位において常態では帽子本体の下縁から上方に折り返して位置されるイヤーフラップを有し、必要時にイヤーフラップをずり下げることにより着用者の耳を覆うようにして保温をししてる。また、イヤーフラップを帽子本体の内側に折り返すことによって汗取りの機能を持たせることが可能である。しかしながら、イヤーフラップを帽子本体の内側に折り返すことによって汗取りの機能を持たせようとした場合、ひさしの部位にはイヤーフラップが存在していないため、ひたいの部位では汗取りの機能を持たせることはできないばかりでなく、着用感を損なう結果となる。また、この帽子では帽子のサイズはイヤーフラップを帽子本体の下縁から上方に折り返して位置させたときのサイズが基準である。従って、汗取り機能を持たせるためイヤーフラップを内側に折り返して使用した場合、イヤーフラップの厚みに相当する分だけ帽子本体の内側寸法が縮小され、フリーサイズ帽子としてのサイズの適応範囲が小さくなる。更に、折返帯は横編構成の編物によって構成されているため、繰り返して洗濯をした場合に組織の伸縮性が徐々に喪失され、汗取り機能が悪化するばかりか、その摩耗の進行が早い欠点がある。加えて、帽子本体の部分は弾性糸としての緯糸で形成されているが、その伸びは２０％程度である。しかしながら、従来技術の帽子は伸びが２０％として規定されているだけであり、脱帽のおそれを排除しつつ快着感を得ることが困難である。即ち、帽子本体後部（ひさしより後ろの部分）の非伸長時の長さをＲ０、最大伸長時のサイズ増加をΔＲ０とし、帽子本体前部（ひさしの部分）の長さをＦ０、基本サイズＣ０とすると、
Ｃ０＝Ｆ０＋Ｒ０
ΔＲ０＝０．２×Ｒ０
となる。着用者の頭の大きさをＨとすると
Ｈ＝Ｃ０＋ΔＲ０＝Ｆ０＋Ｒ０＋ΔＲ０
の関係が得られる。この場合、帽子本体後部の伸長率が２０％というだけでは、当然のことながら、帽子本体後部の長さＲ０、帽子本体前部の長さＦ０は不明のままである。従って、帽子本体前部（ひさしの分）の長さと帽子本体後部の長さとの間が均衡しているか否かや、帽子本体後部の伸びΔＲ０により頭に与える圧迫感が脱帽を起こさない範囲で過大ではないか、といった決定ができない。
【０００５】
一方、米国特許第５，１１９，５１４号の構造では嵌合バンドの場合はその片側の雄バンドの突起と反対側の雌バンドとの係合孔との位置関係を変えることによりサイズを調節しているが、この調整は嵌合突起と嵌合孔の間隔毎であり、微妙な調節はなしえず、かならずしもぴったりと頭に合うとは限らず、固すぎたり緩すぎたりすることによって着用感を損なうものとなっている。加えて、嵌合バンドの部位で帽子本体に収縮によるしわが発生し、見栄えが悪くなり易い。更に、嵌合バンドは雄・雌のバンドをその端部で帽子本体に縫着しているため、製造工程が複雑であり、作業効率が悪化し、また部品点数が増加するため、これらの相乗効果によってコスト高となる。嵌合バンドの変わりにベルクロファスナを使用した場合は、サイズの調節の自由度は大きくなるが、ベルクロファスナのフック及びループの部分は構造上その機能劣化が速く、比較的短時間のうちに締結機能が失われ、寿命が案外と短い。さらに、嵌合バンドの場合と同様にフック及びループの各部分をその端部で帽子本体に縫着する作業が必要であるため、製造工程が複雑であり、作業効率が悪化し、また部品点数が増加するため、これらのコスト的にも高くなってしまう欠点がある。さらに、この米国特許ではイヤーシールドはひさしと一体の剛直な材料により形成され、日よけの機能を主眼としたものであり、折り返して汗取り帯として機能させることはできない。
【０００６】
これらの問題点の解決を図るため、この出願人と同一の出願人は大韓民国特許出願第９２−２６３６７号において、帽子本体を弾性織物にて構成し、二重折りの緯編として形成したスエットバンドを具備し、かつ帽子本体及びスエットバンドに緯方向に５．０８ｃｍ（２．０インチ）の範囲で伸縮性を持たせるようにした非伸長時の基準サイズが６０ｃｍのフリーサイズ帽子を提案している。ところが、この出願のフリーサイズ帽子では二重折りの緯編として形成したスエットバンドは繰り返し洗濯をした場合の耐久性に欠けており、比較的短時間の使用の後にスエットバンドの弾力機能が劣化され、着用者の頭への密着感及び着用感が悪化され、フリーサイズ帽子としての機能を喪失し易い欠点があった。また、スエットバンドは二重折りの緯編として構成されているため、温暖な気候条件での着用には厚きに過ぎ、発汗によってその劣化の進行が早く、この意味でも寿命の短縮の原因となっていた。
【０００７】
この発明は以上の欠点を解決し、良好な着用感を得ることができると共に、その機能を長期に渡って維持することができるフリーサイズ帽子を提供することを目的とする。
【０００８】
【課題を解決するための手段】
上記課題を解決するために，本発明によれば，ポリウレタン弾性織布から成る複数のゴアの端縁同士を縫着することにより非着用時の基準サイズが５４ｃｍ〜６０ｃｍとなる帽子本体を構成し，前記ゴアのうち帽子のひさし部の両端より後側に位置する後部ゴアと前記ゴアとは別体に構成されたポリウレタン弾性織布から成るスエットバンドとの結合により着用時の最大伸びが６．３５ｃｍ以下となるように構成し，さらに前記ゴアのうちひさし部分に相当する前部ゴアには芯材を裏張りすることにより剛直に構成されていることを特徴とする，フリーサイズ帽子が提供される。
【０００９】
かかる構成によれば，ひさしの両端より後側の帽子本体の内面の周囲が着用時に６．３５ｃｍまで伸張し，該伸張時に着用者に対して最適な収縮力が働き同時に脱帽のおそれのない安定した着用感を与えることができる。また，前部ゴアには芯材が裏張りされているので，帽子本体の形態を維持することが可能である。
【００１０】
また，スエットバンドは，前記帽子本体の下端内周面の全長にわたって，その下側縁を縫着することにより，取り付けられることが好ましい。上記フリーサイズ帽子においては，前記ゴアの端縁を挟むようにマルチステッチラインが配されており，前記スエットバンドの上側縁は，前記帽子本体の後部ゴアのマルチステッチラインの部位に縫着されることが好ましい。かかる構成によれば，スエットバンドが帽子本体の下端部から下側に垂れ落ちることが防止される。また，鋭敏なひたい部分に相当する前部ゴア部分には，縫着部分がないため不快感を最小にすることができる。
【００１１】
帽子本体の前記後部を構成する弾性織物における緯糸は基準サイズに対して所定の範囲内で伸縮性を有するポリウレタン弾性糸より構成されることが好ましい。前記スエットバンドは所定範囲内で伸縮性を有するポリウレタン織布バンドより構成されることが好ましい。特に、ポリウレタンが８０重量％以上含まれているスパンデックス糸及びスパンデックス織布バンドを使用することが好ましい。
【００１２】
本発明では，基準（フリー状態）でのサイズを６０±３ｃｍとしているが、出願人会社は米国、カナダ、日本、欧州、中東諸国等の世界中の各国における長い輸出経験があるが、統計上これら各国で成人層のユーザのサイズは６０±３ｃｍから６６±３ｃｍまでの範囲にその殆どが含まれる。従って、基準サイズとして６０±３ｃｍとし、帽子本体を構成する弾性織物及びスエットバンドを６．３５ｃｍの範囲内で伸縮可能とすることにより、一つの基準サイズの帽子だけで頭のサイズが６０ｃｍ±３ｃｍ以上６６±３ｃｍまでの範囲内で着用可能であり、しかもベルクロファスナー等の別途の帽子寸法調節手段を要することなく、着用させることができ、しかも快適な着用感を全然失うことがない。即ち、本出願人の経験によると前記のように成人の頭のサイズは大半が５７ｃｍ〜６９ｃｍの範囲に含まれ、帽子本体の前部（ひさしの部分）と後部との均衡のためにはＦ０＝Ｒ０＝（１／２）×Ｃ０が好ましい。そこで、頭の大きさの範囲５７ｃｍ〜６９ｃｍの中（４）特開平７−１４５５０６間値、即ち、６３ｃｍを基準として、その約１／２である３１．５ｃｍ＝Ｒ０として、ΔＲ０＝０〜６．３５ｃｍ（即ち０〜２．５インチ）に定めたとき、おもさに関してひさしの部分と帽子本体後部とが適当なバランスとなる。即ち、着用時に最適な収縮力が頭に働き、同時に脱帽のおそれもない。この点、米国特許第４，６６２，００７号では帽子本体後部（ひさしの後側）に２０％の伸びを許容するだけであったため、本発明のような帽子本体の前部と後部との最適なバランスを得ることができず、圧迫感が過大又は過小にともなう装着感の悪化があったが、本発明はこの点を解決しているものである。
【００１３】
更に、本発明では、同質の原材料（弾性織物及びスエットバンド）を用いて基本サイズを複数種類（例えば５７ｃｍ，６０ｃｍ，６３ｃｍ）準備することも可能である。この場合、頭のサイズが６０〜６３ｃｍの人は基本サイズとして５７ｃｍと、６０ｃｍとの二つの基本サイズのものから好みによって選択することができ、頭のサイズが６３〜６６ｃｍの人は基本サイズとして６０ｃｍと、６３ｃｍとの二つの基本サイズから好みのものを選択することができる。
【００１４】
また、スエットバンドをポリウレタン織布バンドで構成した場合、ポリウレタン織布バンドは伸長時にその多くの微細通気孔が開口されるため、スエットバンドに接触される頭の部位からの発汗をこの微細通気孔を介して外気に迅速に発散させることができ、これも快適感の向上に寄与することができる。また、実施例のように、スエットバンドはその上縁が前記後部において間隔をおいて帽子本体の内面におけるマルチスティッチラインの部位で縫着していることから、スエットバンドが帽子本体の下縁部から下側に垂れ落ちることは防止される。
【００１５】
また、本発明では、弾性糸及び弾性バンドの双方についてその伸縮性は約半分であるため、着用者の頭に対して過度の圧迫がかかることが防止され、快適な着用感を確保することができる。また、ポリウレタンバンドは洗濯を繰り返した場合の耐久性が高く、その組織を長期間にわたって維持することができる。これに対し、従来の厚い二重緯編のスエットバンド又はイアーフラップに比べて暑い地方又は暑い季節に使用した場合着用感を良好にすることがてきる。
【００１６】
上記において６．３５ｃｍ範囲内の伸縮性とは全く伸びていないフリーの状態（伸びは零）から６．３５ｃｍの最大伸びの範囲内で伸縮することを意味する。本発明のフリーサイズ帽子は前記の如く構成されているのでひとつの基準となるサイズ（６０ｃｍ±３ｃｍ）たけで大多数の主な需要者がサイズ調節用具でサイズを調節しなくても簡便に着用することができるので生産ラインを一つに統合することができて従来のように異なるサイズの帽子毎に別の生産ラインを数個別設けることによる生産施設の増加、及び作る時間と作る人力の増加、裁断ロスの増加等を著しく減少することができるのでその結果それだけの製造原価の著しい節減をもたらすことができる。
【００１７】
本発明における基準のサイズは仕向国別の需要者の頭の平均のサイズによって５７〜６３ｃｍ（即６０ｃｍ±３ｃｍ）の中でひとつのサイズを選定しこれによって６３〜６９ｃｍ（即６６ｃｍ±３ｃｍ）迄の頭のサイズの需要者に適合させることができる。
【００１８】
【発明の実施の形態】
以下に添付図面を参照しながら，本発明にかかるフリーサイズ帽子の好適な実施形態について詳細に説明する。なお，以下の説明および添付図面において，略同一の機能構成を有する部材については同一の符号を付することにより重複説明を省略する。
【００１９】
図１，２において帽子本体１は６枚のゴア（ｇｏｒｅ）１−１，１−２，１−３，１−４，１−５，１−６より成り、これらの６枚のゴアは端縁に沿って合せ縫合されると共に、本体の裏面より布片２−１，２−２，２−３，２−４，２−５，２−６を当てがわれ、接合されたゴアの端縁を挟むように２本のスティッチライン（マルチスティッチライン）により布片２−１，２−２，２−３，２−４，２−５，２−６は帽子本体１に接合されている。ゴアのうちひさし３の部分（前部）におけるゴア１−１，１−６は裏張り用の芯材がのり付けされ、この前部で帽子本体１は剛直に形成され、その形態を維持せしめることができる。一方、ひさし３から後方（後部）のゴア１−２，１−３，１−４，１−５は弾性織物にて形成される。即ちこの弾性織物は、緯糸として６．３５ｃｍ（２．５インチ）の範囲内で伸縮性を有するポリウレタン弾性糸を用い経糸としては非伸縮性のポリエステル／コットンの混紡糸を用いて織成されている。弾性織物を構成する弾性糸は帽子の内周に沿って延びるように配置され、同方向に伸縮性が付与される。また、帽子本体１の下縁部５にポリウレタン弾性織布より構成されるスエットバンド４（その巾３ｃｍ厚さ１．５ｍｍ  、内周長が６０ｃｍ）が縫着される。スエットバンド４と帽子本体の後部のゴア１−２，１−３，１−４，１−５を構成する弾性織物は内周方向に沿って基準寸法に対して所定範囲内で伸縮可能である。例えば、帽子をかぶらないフリーな状態での帽子本体１の周長（本体１の下縁内周長）を６０ｃｍとした場合６．３５ｃｍの範囲内で伸縮性が付与され、約６０ｃｍ〜  約６６ｃｍの範囲のサイズで着用可能なフリーサイズ帽子が構成される。
【００２０】
更に、スエットバンド４の上縁はひさし３より後側の帽子本体１の後部を構成するゴア１−２，１−３，１−４，１−５のマルチスティッチラインによる接合部分における接合布片２−２，２−３，２−４に×で示した部位６−１，６−２，６−３で縫着されている。即ち、スエットバンド４の上縁は帽子本体１の後部に６０°間隔で３ヶ所で縫着される、これによってスエットバンド４が帽子本体の下端部から下側に垂れ落ちることが防止される。
【００２１】
一方、スエットバンド４の上縁はひさし３の部分における帽子本体１には全く縫着されていない。そのため、鋭敏なひたい部分におけるマルチスチッチラインの存在による硬い不快感を最小にすることができる。
【００２２】
本発明はひさしの後側のスエットバンドはこの部分に該当する帽子本体の下端内周の伸縮範囲が０〜６．３５ｃｍになるようにしており、基本となる帽子寸法は６０±３ｃｍが好ましいが、伸縮範囲を更に拡大し０〜６．０ｃｍとすることも可能である。この場合、５４ｃｍから７２ｃｍの頭のユーザに着用が可能となり、その範囲が広がる。しかしながら、Ｃ０＝６０±３ｃｍに設定した場合は、頭の大きさが６０ｃｍ〜６３ｃｍの人はキャップサイズとして５７ｃｍ又は６０ｃｍのいずれ一方を好みで選択し、頭の大きさが６３ｃｍ〜６６ｃｍの人はキャップサイズとして６０ｃｍ又は６３ｃｍのいずれ一方を好みで選択する、という自由度があったが、このＣ０＝６０±６ｃｍに設定した場合は、サイズは完全に１種類となり、サイズ選択の自由はない。また、この設定の場合、サイズに対して実際の頭が大きい場合、着脱のたびに大きな伸縮力が加わり、その回数が増えると、次第に伸縮力が弱くなり、密着感が喪失されようが、サイズに対して頭が小さい場合は使用の開始に当たっての密着感はやや弱いが着脱のたびの伸びが小さいので、着脱回数をふやしても収縮力はあまり変化しない特徴がある。
【００２３】
本発明は前記の実施例に限るものではなく要旨を変更しない範囲内で設計変更をして行うことができる。例えばフリーサイズ帽子は基準サイズ（フリーの状態での内周長）を必ずしも６０ｃｍを基準とすることを要せず、妥当な範囲内、例えば±３ｃｍの範囲内で設計変更して実施することができる。又は帽子本体の前半部の中央内側に設けた帽子本体をして常に一定な形状を保持せしめる芯材は省略することができる。
【００２４】
【発明の効果】
以上説明したように，本発明にかかるフリーサイズ帽子の構成によれば，ひさしの両端より後側の帽子本体の内面の周囲が着用時に６．３５ｃｍまで伸張し，該伸張時に着用者に対して最適な収縮力が働き同時に脱帽のおそれのない安定した着用感を与えることができる。
【図面の簡単な説明】
【図１】図１はこの発明のフリーサイズ帽子の斜視図である。
【図２】図２はこの発明のフリーサイズ帽子の底面図である。
【符号の説明】
１…帽子本体
１−１，１−２，１−３，１−４，１−５，１−６…ゴア
２−１，２−２，２−３，２−４，２−５，２−６…布片
３…ひさし
４…スエットバンド
【図１】
0003775994.tif 000002
【図２】
0003775994.tif 000003